(57)【要約】      （修正有）【課題】背負い式や肩掛け式の刈り取り機にあって、その先端部に取りつける円筒片具を交換することにより、雑草とその根の根絶処理すること、溝づくり、土あげや覆土等の作業時に使う回転盤型の器具を提供する。【解決手段】草刈り機や刈払機に簡易にセット出来る回転盤として、ステンレス、アルミ、鉄、鋼鉄等で製作し、雑草やその根の根絶、溝づくりあるいは土あげ等の目的に応じた形状を有する刃を設けた回転盤を、目的に応じてそれぞれ形成し、該円盤の中心部に設けた穴４で、草刈り機や刈払機本体の動力軸に固定して使用出来る様に構成する。【選択図】図１
0003155717.tif 000002
【実用新案登録請求の範囲】
【請求項１】
ステンレス、アルミ、鉄鋼、鉄等を、図１の１刃部分、２のふくらみ図２の１刃部分と４草刈り刃、図３の５シャベル等、それぞれ必要作業器具として考案した、図１の３、図２の３、図３の３動力回転軸止め穴を設定する、１の刃部分、４の草刈り刃、５のシャベル等の設定個所は２ケ所以上とし造成加工する、バランスを計り安定した配置とする。
以上の如く構成して、草刈り機や、刈払機に取り付けて利活用する農、園芸管理器具としての回転盤である。
【請求項２】
プラスチック板、ゴム板、鉄板等で図４の６、飛散物防止カバーを造成加工してメインパイプに取り付ける、図４の８メインパイプ通し穴を設け、図４の９メインパイプ挿入切れ込を作成して、メインパイプを挿入する、図４の７メインパイプ固定ひも通し穴を設けて、図４の１０メインパイプ固定紐で堅く結ぶ。
以上の如く造成加工して飛散物の防止出来る位置に確認して固定する。
【考案の詳細な説明】
【考案の詳細な説明】
【産業上の利用分野】
【０００１】  この考案は、主に農園に生い茂る雑草と根、水田や畑、果樹、植木等の狭い畝株間の雑草と根等の根絶処理に活用出来る、この作業に当たり図１、２の如く、ふくらみを設けることにより切ってはならない隣接作物の切断の防止となり安心して、この作業に取り組めることが出来る
図２の１と４の設定は、煩雑した雑草の処理は図２、４で雑草を切断し更に地中の根の根絶処理をする、図３の５、の活用は簡易な植え溝づくり、作づくり、土あげや覆土、更に除雪作業などに、このシャベルを利活用する、背負い式や肩掛け式の刈り取り機に本体を取付けて、この作業するに当たり絶対に避けなければならないことは、土塊、小石等の飛散物の人的傷害の防止である、図４の６如く飛散物防止カバーの設定である、強靱弾力のある軽いプラスチック板、ゴム板、鉄板等を選定し矩形に造成して飛散物の受け止めを見て、タテにするか、横にするかを確認しメインパイプを挿入し、安全な位置で紐で堅く固定する。
以上の内容を認識して労農作業を簡易化し、過重な農作業から解放出来る農園芸管理器具の回転盤である、更に一般の動力管理機にも取付けこの活用が期待できる本体である。
【背景技術】
【０００２】  これまでにない、畑や水田等の畝株間の狭いところに繁茂している雑草と根の根絶処理又作、溝つくり、土あげ、覆土や除雪作業などのできる器具の回転盤である、又飛散物防止カバーの挿入切れ込みの設定、矩形型によるタテ、横の適、位置の選定等、飛散物の防止の方法は本案のみである。
【考案が解決しょうとする課題点】
【０００３】  急傾斜地、山間の狭い地形、稲作、植木、果樹園、庭園など狭い畝株間の雑草や根の根絶処理、作溝や土かけ作業が、簡易に、又、土塊、石つぶ等の飛散物の人体傷害防止が簡易にできる。
【課題を解決する手段】
【０００４】  いまその解決手段を図面に追いながら説明すれば、図１の３、図２の３、図３の３（動力回転軸止め穴）をそれぞれ目的作業に合わせ本体を取付ける図１の１は水田、畑、果樹園の畝株間の雑草と根の処理、図２の４と１で、煩雑した雑草と根の処理、図３の５シャベルは作溝づくり、土あげや覆土、除雪などの作業に当たる、この作業をするに当たり、土塊、石つぶ、等の飛散物の人的傷害を絶対に避けなければなりません、そこで巾の広い
【図４】
６を考案いたしました、飛散物の危険防止として、タテに長く、あるいは横に長くして、その位置を確認して
【図５】
６の如くメインパイプに取り付ける。
【作用】
【０００５】  本案は以上のような構造であるから、それぞれの現場の状況に合わせた本体の働きを説明する、
【図１】
２ふくらみをもった回転盤は作物植木、果樹等の畝間株間に生い茂る雑草や根の根絶処理、本体を垂直に作動することにより隣接作物の損傷を守ることが出来る、
【図２】
４と１の設定は頻繁に生い茂る雑草と根の根絶処理を図ったものである、上部に繁茂している雑草の切断を
【図】
４で成し、その下部に密生している草根の根絶処理を
【図２】
の１でするものである、
【図３】
の５、シャベルは、左り回転で土をすくい上げて、植え溝堀り、覆土、土かけ、雪をかきあげて除雪するにも活用できる、
【図４】
６は、これらの作業するに当たり激しい回転により土塊、石つぶなどの飛散物がとびちる、人的傷害の絶対防止対策として本体を考案したのである、飛散物が当たっても、いたまない物でプラスチック板、ゴム板、鉄板等で彎曲、ゆがみしない軽い物であり、本体を矩形にしメインパイプ穴を設ける、カバー位置をタテ方向、横方向にかえ
【図５】
６、飛散物防止効果を図るのである。
【実施例】
【０００６】  なお、本考案の実施にあたって次の如きことができる。
（イ）背負い式、肩掛け式の刈り取り機、刈払機等に取り付けることが出来る。
（ロ）回転盤本体の構造は貧弱の物でなく、盤の厚さステンレスは０．７ミリ以上の物でよく、回転の衝撃で変形や欠けてとび散ることがない。
（ハ）アルミ、鉄、は１ミリ以上とする、鋼鉄はこの限りではないが回転衝撃で鉄片が欠けてとび散ることがあり、人的傷害の危険、隣接作物への破損等、避けたい。
（ニ）飛散物防止カバーはこれらの作業する毎にメインパイプに絶対に取り付けたいことであり、それぞれの作業によりセット位置を変える、畝株間の根絶処理は作物がよく見えることの位置で設定する、
【図２】
４、回転盤セットの場合は、草刈り刃で、飛散物の横とびが多く、その範囲でカバーを横長に左部分を広めにメインパイプに取り付ける、
【３】５、回転盤セットの場合は、シャベルの作用によりタテ方向に飛散物が多く、その範囲でカバーをタテ長に上部分を広めにメインパイプに取り付ける。
【図５】
６、飛散物防止カバーの取付けは、過激な作業しても絶対に外れないように
【図５】
７、４ケある穴に内側、外側に紐や針金を通し動かないようにメインパイプに堅く取り付ける。
【発明の効果】
【０００７】  この考案は、農、園芸管理機械の活動出来ない山間の狭い耕地、急傾斜地、水田稲作や作物、植木、果樹園、庭園等、狭い畝株間に、小型回転盤器具であるので導入出来る便利さがあり、雑草や根の根絶処理に活用できる、更に作や溝堀り、土あげ覆土、積雪の廃除等も簡易詳細に出来る、なお飛散物防止カバーも適位置に紐や針金で簡易に堅く固定でき巾の広さが飛散物カバーとしての完全防止ができて今後に期待がもてる。
【図面の簡単な説明】
【図１】  本考案の斜面図
【図２】  本考案の斜面図
【図３】  本考案の斜面図
【図４】  本考案の斜面図
【図５】  本考案の斜面図
【符号の説明】
１は刃の部分
２はふくらみ
３は動力回転軸止め穴
４は草刈り刃
５はシャベル
６は飛散物防止カバー
７はメインパイプ固定ひも通し穴
８はメインパイプ通し穴
９はメインパイプ装入切れ込み
１０はメインパイプ固定紐
１１はメインパイプ
【図１】
0003155717.tif 000003
【図２】
0003155717.tif 000004
【図３】
0003155717.tif 000005
【図４】
0003155717.tif 000006
【図５】
0003155717.tif 000007
【手続補正書】
【提出日】平成16年3月25日(2004.3.25)
【手続補正１】
【補正対象書類名】実用新案登録請求の範囲
【補正の内容】
0003155717.tif 000008
0003155717.tif 000009
0003155717.tif 000010
0003155717.tif 000011
0003155717.tif 000012
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
（イ）強度で弾力性のあるステンレス，鋼，鉄，アルミニウム等を台部分の無い茶碗やコップ型に加工造成して，逆転した台部分に動力軸が堅くセット出来る穴を設け（図１）３の如く，又逆さにした本体のタテの中間部分にゆるやか膨らみを設ける（図１）１の如く，
（ロ）逆さ，茶碗，コップ型に造成加工した円の縁を切り込みをしたり，部分的に切り取ったり，（図１）２，如く刃を設ける，又は残した片を外方向に屈折加工して（図２）４横開き刃部分を設ける，又（図３）６シヤベルを設ける。
以上の如く造成加工した本体であり，刈り取り機のギヤ−ケ−ス（４）８に取付けて，機動力よりその作業にあたることの出来るように構成された装置である。
【請求項２】
（図２）５垂直に設定構成した装置
【手続補正２】
【補正対象書類名】明細書
【補正対象項目名】全文
【補正方法】変更
【補正の内容】
【考案の詳細な説明】
【技術分野】
【０００１】  この考案は，刈り取り機に取り付ける農機具の開発である，水田や畑，植木や果樹園等の狭い畝株間の雑草と，その根などの根絶処理をする農機具である
尚この作業に当たり隣接作物の切断防止として（図１）１の如く，ふくらみを設けることにより切ってはならない作物の保護が出来る，安心してこの作業に取り組めることが出来る。
煩雑した雑草根の処理は，草刈り刃（２）４で地上部の雑草を切断し，更に地中の根の根絶処理は（２）２で草根切り込み行う，この二重の活用は期待出来るものである。
次に簡易な植え溝づくり，播種の溝づくり，作づくり，土あげや覆土，更に根絶やしカッタ−としても活用出来る，除雪作業などに，このシャベル（３）６を利活用する。
背負い式や肩掛け式の刈り取り機のギヤケ−ス（図４）８に，それぞれ使用目的により本体を選び，取付けしてこの作業に当たる。
刈り取り機のギヤケ−スの刃受金具の凸部に本体の（図５）３，動力軸締め穴と合体し（図５）９，押え金具で押え，（図５）１０，取付けボルト（左ねじ）で堅く本体を締め，刈り取り機の機動力によりその目的作業を行う。
【背景技術】
【０００２】  これまでにない，刈り取り機に本体を簡易にセットして，畑や水田，植木果樹園の畝株間，傾斜地や狭いところに繁茂している雑草と根の根絶処理は，（図１）２と（図３）６での活用で隣接作物に切害のない本体である，従来の刈り取り機のカッタ−は，狭い畝株間の隣接作物を切り込んでしまう欠陥があります。
本体は傾斜地や狭い耕地の雑草根処理，作，溝つくり，土あげ，覆土や除雪作業などの出来る物である。
【考案が解決しょうとする課題】
【０００３】  急傾斜地，山間の狭い地形，畝株間等の雑草や根の根絶処理，又は作溝や土かけ等，曾てはこれらの細かい作業が手動であって，各メ−カ−も研究費と試作費をかけたが解決しなかった，本考案は，こうした人たちの強い要望にこたえるために考案されたものである。
【課題を解決する手段】
【０００４】  いま，その構成を説明すると，タテの中間に凸部分（膨らみ）（図１）１を設けた茶碗コップ型にした鋼材を逆転して，中央に動力軸締め穴（図１）３と（図１）２と（図３）６の如く，ひだり回転方向に合致したシヤベルを造成加工して（図５）９押え金具，取付けボルト（左ねじ）（図５）１０で堅く，（５）８ギヤケ−スに取付けして，動力回転力により，畝間株間の雑草と根の根絶作業，作，溝堀りなどに動力活用する。
又，隣接作物に切害のない煩雑した雑草根処理は（図２）４横開き刃を設けた本体を利用する，。
以上の構成から成る，雑草，根絶やしシヤベルカッタ−である。
【考案の効果】
【０００５】  この農機具は，山間の狭い農地，急傾斜地など，一般の農園芸管理機械で作業の出来ない場所でも，雑草根処理作業が出来るのであり，本体を刈り取り機（背負式，肩かけ式）簡易にセットでき，しかも軽量小型であるので手軽に動力を促しその目的活動をすることが出来る。
【図面の簡単な説明】
【０００６】
【図１】円筒形凸部分（ふくらみ）と雑草根切り込みカッタ−を設定した斜視図
【図２】雑草切り込みと雑草根処理カッタ−を設定した斜視図
【図３】左回転シヤベルを設定した斜視図
【図４】ギヤケースに本体を取り付けた斜視図
【図５】ギヤケースに本体を取り付ける順の斜視図
【符号の説明】
【０００７】    １は円筒形凸部分
２は刃部分
３は動力軸締め穴
４は横開き刃部分
５は円筒形垂直部分
６ははシヤベル
７はメインパイプ
８はギヤケ−ス
９は押え金具
１０は取付けボルト（左ねじ）
【手続補正３】
【補正対象書類名】図面
【補正対象項目名】全図
【補正方法】変更
【補正の内容】
【図１】
0003155717.tif 000013
【図２】
0003155717.tif 000014
【図３】
0003155717.tif 000015
【図４】
0003155717.tif 000016
【図５】
0003155717.tif 000017
【手続補正書】
【提出日】平成16年11月24日(2004.11.24)
【手続補正１】
【補正対象書類名】実用新案登録請求の範囲
【補正対象項目名】全文
【補正方法】変更
【補正の内容】
【実用新案登録請求の範囲】
【請求項１】
（イ）強度で弾力性のあるステンレス，鋼，鉄，アルミニウム等を台の無い茶碗型やコップ型に加工造成して，底の台部分に動力軸締め穴，（図１）３，が堅くセット出来る穴を設ける，円の縁に刃部分（１）２を設けるタテの中間部分に円筒形凸部分（図１）１，ゆるやか膨らみを設ける。
（ロ）膨らみの無い茶碗型，コップ型に造成加工しタテの中間部分を円筒形垂直部分，（２）５，にして，円の縁を切り込みをしたり，部分的に切り取ったりして刃部分，（図２）２，を設ける，又は切り取らない片を外方向に屈折加工して横開き刃部分，（図２）４，を設ける。
両具を合わせて雑草，根絶やしカッタ−である。
【請求項２】
台部分の無い茶碗型コップ型に造成し，底を上にして円の縁を左方向に向い，すくい上げる形に切りこみ加工造成した，シヤベルカッタ−（図３）６，を設ける，雑草，根絶やしシヤベルカッタ−である。
以上の如く加工造成した道具等であり，刈り取り機のギヤ−ケ−ス，（４）８，に取付けて，機動力によりその目的作業にあたることの出来るように構成された雑草，根絶やしシヤベルカッタ−である。
【手続補正２】
【補正対象書類名】明細書
【補正対象項目名】全文
【補正方法】変更
【補正の内容】
【考案の詳細な説明】
【技術分野】
【０００１】  この考案は，刈り取り機に取り付ける道具の開発である，水田や畑，植木や果樹園等の狭い畝株間の雑草と，その根などの根絶処理，又は圃場等を管理する道具である，雑草，根などの根絶処理に当たり隣接作物の切断防止として円筒形凸部分，（図１）１，を設け，膨らみを設けることにより切ってはならない作物の保護が出来る，安心してこの作業に取り組めることが出来る。
煩雑した雑草根の処理は，横開き刃，（２）４，で地上部の雑草を切断し，更に地中の根の根絶処理は草根切り込み刃，（２）２，で行う，この二重の活用は期待出来るものである。
次に簡易な植え溝づくり，播種の溝づくり，作づくり，土あげや覆土，更に除雪作業などにもこのシャベルカッタ−，（３）６，で活用できる，更に雑草，根絶やし，としても活用出来る。
背負い式や肩掛け式の刈り取り機のギヤケ−ス（図４）８に，それぞれ使用目的により本具を選び，取付けしてこの作業に当たる。
刈り取り機のギヤケ−スの刃受金具の凸部に，（図５）３，動力軸締め穴と合体し（図５）９，押え金具で押え，（図５）１０，取付けボルト（左ねじ）で堅く本具を締め，刈り取り機の機動力によりその目的作業を行う。
【背景技術】
【０００２】  これまでにない，刈り取り機に本具を簡易にセットして，畑や水田，植木果樹園の畝株間，傾斜地や狭いところに繁茂している雑草と根の根絶処理は，刃（図１）２，とシヤベルカッタ−，（図３）６，の活用で隣接作物に切害のない本具を利用してその作業に当たる，従来の刈り取り機のカッタ−は，平版で狭い畝株間の隣接作物を切り込んでしまう欠陥があります。
本具は傾斜地や狭い耕地の雑草，雑草根処理，圃場の撹拌，作，溝つくり，土あげ，覆土や除雪作業などの出来る物である。
【考案が解決しょうとする課題】
【０００３】  急傾斜地，山間の狭い地形，畝株間等の雑草や根の根絶処理，又は作溝や土かけ等，曾てはこれらの細かい作業が手動であって，各メ−カ−も研究費と試作費をかけたが解決しなかった，本考案は，こうした人たちの強い要望にこたえるために考案されたものである。
【課題を解決する手段】
【０００４】  いま，その構成を説明すると，台の無い茶碗型コップ型にして，タテの中間に円筒形凸部分（膨らみ），（図１）１，を設け底の中央に動力軸締め穴，（図１）３，と刃（図１）２，と左方向に向い，すくい上げるシヤベル，（図３）６，を造成加工して，本具を押え金具，（図５）９，に取付け，取付けボルト（左ねじ）（図５）１０，で堅く，ギヤケ−ス，（５）８，に締め込みして，動力回転力により，畝株間の雑草と根絶やし作業，又は圃場の撹拌，作，溝堀り，土上げ等に動力活用する，隣接作物に切害のない煩雑した雑草根処理は，（図１）２，刃を設けた本具を利活用する。
以上の構成から主に田畑の管理作業の担いてとして本具の利活用である。
【考案の効果】
【０００５】  この道具は，山間の狭い農地，急傾斜地など，一般の農園芸管理機械で作業の出来ない場所でも，雑草，根絶やし，圃場の園芸管理作業が出来るのである，本具を刈り取り機，背負式，肩かけ式等に取付け簡易に運搬ができる，しかも軽量小型であるので手軽に動力を促しその目的活動をすることが出来る。
【図面の簡単な説明】
【０００６】
【図１】円筒形凸部分と雑草根切り込みカッタ−を設定した斜視図
【図２】雑草切り込みカッタ−と，雑草根の処理カッタ−を設定した斜視図
【図３】左方向すくい上げシヤベルカッタ−を設定した斜視図
【図４】ギヤケ−スに本具を取り付けた斜視図
【図５】ギヤケ−スに本具を取り付ける順の斜視図
【符号の説明】
【０００７】    １は円筒形凸部分
２は刃部分
３は動力軸締め穴
４は横開き刃部分
５は円筒形垂直部分
６ははシヤベル
７はメインパイプ
８はギヤケ−ス
９は押え金具
１０は取付けボルト（左ねじ）
【手続補正３】
【補正対象書類名】図面
【補正対象項目名】全図
【補正方法】変更
【補正の内容】
【図１】
0003155717.tif 000018
【図２】
0003155717.tif 000019
【図３】
0003155717.tif 000020
【図４】
0003155717.tif 000021
【図５】
0003155717.tif 000022
【手続補正書】
【提出日】平成17年5月18日(2005.5.18)
【手続補正１】
【補正対象書類名】実用新案登録請求の範囲
【補正対象項目名】全文
【補正方法】変更
【補正の内容】
【実用新案登録請求の範囲】
【請求項１】
（イ）ステンレス，鋼，鉄，アルミニウム等の本体（１）ふくらみを設ける。
（ロ）（１）の本体に（２）と（３）を設ける。
（ハ）〔図２〕（５）の本体に（２）と（３）（４）を設ける。
（ニ）〔図３〕（５）の本体に（３）と（６）を設ける。
以上の如く構成された，刈り取り機のギヤ−ケ−スに取付けて雑草根等，根絶処理をする道具。
【手続補正２】
【補正対象書類名】明細書
【補正対象項目名】全文
【補正方法】変更
【補正の内容】
【考案の詳細な説明】
【技術分野】
【０００１】  この考案は，刈り取り機に取り付ける道具の開発である，水田や畑，植木や果樹園等の狭い畝株間の雑草と，その根などの根絶処理，又は圃場等に生い茂る宿根性雑草のポット方法により根絶処理する道具である，雑草，根などの根絶処理に当たり隣接作物の切断防止として，（図１）１，を設け，膨らみを設けることにより切ってはならない作物の保護が出来る，安心してこの作業に取り組めることが出来る，煩雑した雑草根の処理は，横開き刃，（図２）４，で地上部の雑草を切断して更に地中の根の根絶処理は草根切り込み刃，（図２）２，で行う，この二重の活用は期待出来る。
次に簡易な植え溝づくり，播種の溝づくり，作づくり，土あげや覆土，はシャベルカッタ−，（図３）６，で活用できる，更に雑草，根絶やし，としても活用出来る。
背負い式や肩掛け式の刈り取り機のギヤケ−ス（図４）８に，それぞれ使用目的により本具を選び，取付けしてこの作業に当たる。
刈り取り機のギヤケ−スの刃受金具の凸部に，（図４）３，動力軸締め穴と合体し（図４）９，押え金具で押え，（図４）１０，取付けボルト（左ねじ）で堅く本具を締め，刈り取り機の機動力によりその目的作業を行う。
【背景技術】
【０００２】  これまでにない，刈り取り機に（図１）１，２，の本具をセットして，畑や水田，植木果樹園の畝株間の雑草と根の根絶処理は隣接作物に切害のない本具を利活用しその作業に当たる，従来の刈り取り機のカッタ−は，平版で狭い畝株間の隣接作物を切り込んでしまう欠陥があります。
煩雑した雑草根の処理は，（図２）４地上部の雑草を切断し，地中の根の処理は（図２）２で行う。
次に簡易な植え溝作り，播種の溝づくり，作づくり，土あげや覆土等は（図３）６，本具の活用で出来る，又傾斜地，狭い耕地の作業は本具等のみである。
【考案が解決しようとする課題】
【０００３】  急傾斜地，山間の狭い地形，畝株間等の雑草や根の根絶処理，又は作溝や土かけ等，曾てはこれらの細かい作業が手動であって，各メ−カ−も研究費と試作費をかけたが解決しなかった，本考案は，こうした人たちの強い要望にこたえるために考案されたものである。
【課題を解決する手段】
【０００４】  いま，その構成を説明すると，本体タテの中間に凸部分（膨らみ）（図１）１，を設け中央に動力軸締め穴，（図１）３，と（図１）２，均等位置に地中根切り刃を設ける，（図２），４を平衡で均等位置に横開き刃を設ける，（図２）２，と５の部分を垂直とする，（図３）６，左方向に向い，すくい上げるシヤベルを設ける，それぞれの本体を押え金具，（図４）９，に取付け，取付けボルト（左ねじ）（図４）１０，で堅く，ギヤケ−ス，（図４）８，に締め込みして，動力回転力により，その目的作業に当たる。
【考案の効果】
【０００５】  この道具は，山間の狭い農地，急傾斜地など，一般の農園芸管理機械で作業の出来ない場所でも，雑草，根絶やし，農圃場の園芸管理作業が出来るのである。
刈り取り機，背負式，肩かけ式等に本具を取付けたまま移動できる，しかも軽量小型であるので手軽に持ち運びを促し，その目的活動をすることが出来る。
【図面の簡単な説明】
【０００６】
【図１】ふくらみ部分と雑草根，切り込みカッタ−を設定した斜視図
【図２】雑草切り込みカッタ−と，雑草根の処理カッタ−を設定した斜視図
【図３】左方向すくい上げシヤベルカッタ−を設定した斜視図
【図４】ギヤケ−スに本具を取り付ける順の斜視図
【図５】ギヤケ−スに本具を取り付けた斜視図
【符号の説明】
【０００７】  １はふくらみ部分
２は根切り刃部分
３は動力軸締め穴
４は横開き草刈り刃部分
５は円筒形垂直部分
６はシヤベル
７はメインパイプ
８はギヤケ−ス
９は押え金具
１０は取付けボルト（左ねじ）
【手続補正３】
【補正対象書類名】図面
【補正対象項目名】全図
【補正方法】変更
【補正の内容】
【図１】
0003155717.tif 000023
【図２】
0003155717.tif 000024
【図３】
0003155717.tif 000025
【図４】
0003155717.tif 000026
【図５】
0003155717.tif 000027
【手続補正書】
【提出日】平成17年9月22日(2005.9.22)
【手続補正１】
【補正対象書類名】実用新案登録請求の範囲
【補正対象項目名】全文
【補正方法】変更
【補正の内容】
【実用新案登録請求の範囲】
【請求項１】
（イ）ステンレス，鋼，鉄，アルミニウムなどで碗型，茶碗型状に造成加工し反転した状態で利用し，回転動力で土中に強く接しても決壊しない形の崩れない強度の材質を有した物で（図１），に（１）ふくらみにより隣接作物切断防止，（２）地中雑草根切断刃，（３）動力回転軸止め穴を設け，刈り取り機に取り付ける。
（ロ）強度の材質を有した物で，垂直円筒型（図２）の（４）に地中雑草根切断刃（６），と横開き地上部雑草切断刃（５），と（３）動力回転軸止め穴を設け取付けする，煩雑した雑草刈り取りと雑草根処理用。
（ハ）強度で弾力のある材質を有した物で垂直円筒型にし，左方向に向い，土をすくい上げるシャベル（図３）の（８）を設け回転威力により土堀り，雑草根処理等を行う，動力回転軸止め穴，（図３）（３）を設けしっかり取付けする。
以上の如く，刈り取り機のギヤ−ケ−スに取り付けて雑草根等，根絶処理をする道具である，三者三様の用具の考案であるが碗型，茶碗型，円筒型に造成加工したのは動力作業中，即ち土，石の塊等の飛散物が少ないので安心してこの作業に取り組める道具であるからである。
【手続補正２】
【補正対象書類名】明細書
【補正対象項目名】全文
【補正方法】変更
【補正の内容】
【考案の詳細な説明】
【技術分野】
【０００１】  この考案は，刈り取り機に取り付ける道具の開発である，水田や畑，植木や果樹園等の狭い畝株間の雑草と，その根などの根絶処理，又は圃場等に生い茂る宿根性雑草の根等のきりもみ方法により根絶処理する道具である，雑草，根などの根絶処理に当たり，隣接の作物の切断防止として（図１）１，ふくらみを設けることにより，切ってはならない作物の保護ができる，安心してこの作業に取り組めることが出来る。
煩雑した雑草根処理は，横開き刃（図２）５で地上部の雑草を切断して更に地中の根の根絶処理は，草根切り込み刃（図２）６で行う，この二重の活用は期待できる。
次に簡易な植え溝つくり，播種の溝づくり，作づくり，土あげや覆土は，シベルカッタ−（図３）８で利活用出来る，更に雑草，根絶やしとしても活用出来る。
背負い式や肩掛け式の刈り取り機のギヤアケ−ス（図４）１０に，それぞれの使用目的により本具を選び，取付けしてこの作業に当たる。
刈り取り機のギヤアケ−スの刃受金具の凸部に（図４）３，動力軸締め穴と合体し（図４）１１，押さえ金具で押さえ，（図４）１２，取付けボルト（左ネジ）で堅く木具を締め，刈り取り機の機動力によりその目的作業に行う。
【背景技術】
【０００２】  これまでにない，従来の刈り取り機のカッタ−は，平版で地上の草刈りだけであって，雑草の根絶やしや，作づくり，土あげ等の狭い畝株間の作業が全く出来なかった。
【考案が解決しょうとする課題】
【０００３】  作物の畝株間の雑草や根の根絶処理，又は狭い急傾斜地の作溝や土かけ等，曾てはこれらの細かい作業が手動であって，本具をセットすることによりこれらの作業が簡易に出来る，このことは各メ−カ−も研究費と試作費をかけたが解決しなかった，本考案は，強い要望にこたえるために考案されたものである。
【課題を解決する手段】
【０００４】  ステンレス，鋼，鉄，アルミニウム等で茶碗型，碗型，円筒型等を反転にした形態で，等間隔で刃（図１）２，（図２）５，と６，（図３）８シヤベルを設けた道具である，手動で行っていた過労作業であった草取り，草むしり，作溝づくり，土かけ等を，本体を用途別に刈り取り機に取付けて，動力回転威力により，簡易に作業に当たることが出来る。
【考案の効果】
【０００５】  この道具は，山間の狭い農地，急傾斜地など，一般の農園芸管理機械で作業の出来ない場所でも，雑草，根絶やし，農圃場の園芸管理作業出来るのである，軽量小型であるので本具を取り付けたまま移動できる。
【図面の簡単な説明】
【０００６】
【図１】茶碗型反転形態の本体，ふくらみ部分１，と切り込みカッタ−２，動力軸締め穴３，を設定した斜視図
【図２】垂直円筒型の本体，雑草切り込みカッタ−４，雑草根処理カッタ−６を設定した斜視図
【図３】垂直円筒型の本体，左方向すくい上げシヤベルカッタ−８を設定した斜視図
【図４】刈り取り機のギヤ−ケ−スに本具を取り付ける順の斜視図
【図５】刈り取り機のギヤ−ケ−スに本具を取り付けた斜視図
【符号の説明】
【０００７】  １はふくらみ
２は根切り刃
３動力軸締め穴
４は垂直円筒型雑草切り込み刃，根切り込み刃の円基盤
５は横開き草刈り刃
６は雑草根切り込み刃
７は垂直円筒型シヤベルカッタ−円基盤
８はすくい上げシヤベルカッタ−
９はメインパイプ
１０はギヤケ−ス
１１は押さえ金具
１２は取付けボルト（左ねじ）
【手続補正３】
【補正対象書類名】図面
【補正対象項目名】全図
【補正方法】変更
【補正の内容】
【図１】
0003155717.tif 000028
【図２】
0003155717.tif 000029
【図３】
0003155717.tif 000030
【図４】
0003155717.tif 000031
【図５】
0003155717.tif 000032
【手続補正４】
【補正対象書類名】手続補正書
【補正対象項目名】手続補正４
【補正方法】削除
【補正の内容】
【手続補正書】
【提出日】平成18年2月9日(2006.2.9)
【手続補正１】
【補正対象書類名】実用新案登録請求の範囲
【補正対象項目名】全文
【補正方法】変更
【補正の内容】
【実用新案登録請求の範囲】
【請求項１】
（イ）ステンレス，鋼，鉄，アルミニウム等を碗型，茶碗型状に造成加工し反転した状態で利用し，盤の厚さ０，７ｍｍ以上の形の崩れない強度の材質を有した物を使用し，碗型，茶碗型の円筒中間部分にふくらみを設け回転接触しても隣接作物を切断しない，ふくらみを設ける（図１）１，碗型，茶碗型の円筒下方部分を等間隔でＵ字型に数カ所切取り動力回転により地中の雑草の茎根を切断する刃，（１）２，を設けた，雑草，根絶やしカッタ−を刈り取り機に取り付けるに碗型，茶碗型にした底の中心部に，刈り取り機のギヤケ−スの受け止め金具凸部分にセットできる動力軸締め穴，（図１）３を設け本体を押さえる金具，取付けボルトでセットする。
（ロ）茶碗型又は垂直円筒型，碗，円筒部分の底辺を数カ所等間隔で下方から左方向に向い，斜線に切り込み外に折り曲げ，回転により土をすくい上げるシャベルを設ける（図２）５，ノ如く。
以上の如く，刈り取り機のギヤ−ケ−スに取り付けて地上地中雑草の茎，根等根絶処理をする道具である，二者二様の用具の考案であるが碗型，茶碗型，円筒型等に造成加工したのは動力作業中，即ち土，石の塊等の飛散物が少ないので安心してこの作業に取り組める。
【手続補正２】
【補正対象書類名】明細書
【補正対象項目名】全文
【補正方法】変更
【補正の内容】
【考案の詳細な説明】
【技術分野】
【０００１】  この考案は，刈り取り機に取り付ける道具の開発である，水田や畑，植木や果樹園等の狭い畝株間の雑草と，その根茎などの根絶処理，又は圃場等に生い茂る宿根性雑草の根茎等，きりもみ方法により根絶処理する道具である，雑草，茎根などの根絶処理に当たり，隣接の作物の切断防止として（図１）１，ふくらみを設けることにより，切ってはならない作物の保護ができる，安心してこの作業に取り組めることが出来る。
次に簡易な植え溝つくり，播種の溝づくり，作づくり，土あげや覆土は，シベルカッタ−（図２）５で利活用出来る，更に雑草，根絶やしとしても活用出来る。
背負い式や肩掛け式の刈り取り機のギヤアケ−ス（図３）７に，それぞれの使用目的により本具を選び，取付けしてこの作業に当たる。
刈り取り機のギヤアケ−スの刃受金具の凸部に（図３）７，動力軸締め穴と合体し（図３）８，押さえ金具で押さえ，（図３）９，取付けボルト（左ネジ）で堅く本具を締め，刈り取り機の機動力によりその目的作業に行う。
【背景技術】
【０００２】  これまでにない，従来の刈り取り機のカッタ−は，平版で地上の草刈りだけであって，雑草の茎根絶やしや，作づくり，土あげ等の狭い畝株間の作業が全く出来なかった。
【考案が解決しょうとする課題】
【０００３】  作物の畝株間の雑草や茎根の根絶処理，又は狭い急傾斜地の作溝や土かけ等，曾てはこれらの細かい作業が手動であって，本具をセットすることによりこれらの作業が簡易に出来る，このことは各メ−カ−も研究費と試作費をかけたが解決しなかった，本考案は，強い要望にこたえるために考案したものである。
【課題を解決する手段】
【０００４】  ステンレス，鋼，鉄，アルミニウム等で茶碗型，碗型，円筒型等を反転にした形態で，等間隔で刃（図１）２，（図２）５，シヤベルを設けた道具である，手動で行っていた過労作業であった草取り，草むしり，作溝づくり，土かけ等を，本体を用途別に刈り取り機に取付けて，動力回転威力により，簡易に作業に当たることが出来る。
【考案の効果】
【０００５】  この道具は，山間の狭い農地，急傾斜地など，一般の農園芸管理機械で作業の出来ない場所でも，雑草，茎根絶やし，農圃場の園芸管理作業出来るのである，軽量小型であるので本具を取り付けたまま移動できる。
【図面の簡単な説明】
【０００６】
【図１】茶碗型反転形態の本体，ふくらみ部分１，と切り込みカッタ−２，動力軸締め穴３，を設定した斜視図
【図２】垂直円筒型の本体，左方向すくい上げシヤベルカッタ−５を設定した斜視図
【図３】刈り取り機のギヤ−ケ−スに本具を取り付ける順の斜視図
【図４】刈り取り機のギヤ−ケ−スに本具を取り付けた斜視図
【符号の説明】
【０００７】  １はふくらみ
２は茎根切り刃
３動力軸締め穴
４は垂直円筒型の本体
５は垂直円筒型にシヤベルカッタ−５を設定
６はメインパイプ
７はギヤケ−ス
８は押さえ金具
９は取付けボルト（左ねじ）
【手続補正３】
【補正対象書類名】図面
【補正対象項目名】全図
【補正方法】変更
【補正の内容】
【図１】
0003155717.tif 000033
【図２】
0003155717.tif 000034
【図３】
0003155717.tif 000035
【図４】
0003155717.tif 000036
【手続補正書】
【提出日】平成19年9月13日(2007.9.13)
【手続補正１】
【補正対象書類名】実用新案登録請求の範囲
【補正対象項目名】全文
【補正方法】変更
【補正の内容】
【実用新案登録請求の範囲】
【請求項１】
剛堅強靱な鋼材ステンレス等、底のある円筒の縁のめぐりを等間隔で切り取り、数カ所残した部分を刃とした一つの具である、他方は刃部分を左回転で左下右上方向に斜め迫りあげ加工する、底の部分の中心に、刈りとり機の動力軸の締め穴を設けて、刈りとり機に取り付け表土を削り草取り、作溝堀り、土あげなどをする道具で、両具を合わせて草取りカッタ−シヤベルである。
【手続補正２】
【補正対象書類名】明細書
【補正対象項目名】全文
【補正方法】変更
【補正の内容】
【考案の詳細な説明】
【技術分野】
【０００１】  この考案は，刈り取り機に取り付け、表土に生えている雑草を削ったり、作溝づくりをする道具の開発である、狭い畝株間の水田や畑植木や果樹園等、圃場等に生い茂る宿根性雑草の根茎等，きりもみ方法により根絶処理する道具である。
次に簡易な植え溝つくり，播種の溝づくり，作づくり，土あげ覆土が〔図２〕４で出来る，本具も雑草，根絶しも出来る。
背負い式や肩掛け式の刈り取り機のギヤアケ−スのネック〔図３〕５に使用目的により本具を選び，取付けしてこの作業に当る。
【背景技術】
【０００２】  これまでにない，従来の刈り取り機のカッタ−は，平版刃で又は紐で地上の草刈りだけであって，地中の宿根草の根茎、絶やしや，作溝づくり土あげ等狭い畝株間の草取り作業が全く出来なかった。
【考案が解決しょうとする課題】
【０００３】  畑作物や水田畝株間の雑草、雑草根、の根絶処理，又は狭い急傾斜地の作溝づくり、土かけ等，曾てはこれらの細かい作業が手作業であって，重労働であった、熱射病、蝮や百足の危害をこうむった、本具をセットしてこの作業に当ることにより危害防止となる、このことは各メ−カ−も研究費と試作費をかけたが解決しなかった，本考案は，強い要望にこたえるために考案したものである。
【課題を解決する手段】
【０００４】  草取りカッタ−シヤベルは使用目的より，どちらかを選ぶ、雑草の根絶やしは〔図１〕カッタ−を設けた具である。
作溝づくり，土かけ等を必要とした場合，シヤベル〔図２〕取付けそれぞれその作業に当る。
【考案の効果】
【０００５】  この道具の使用は熱射病、蝮や百足の危害を防止できる、山間の狭い農地，急傾斜地など，一般の農園芸管理機械で作業の出来ない場所でも，雑草，茎根絶やし，園芸管理作業が出来るのである，軽量小型であるので本具を取り付けたまま移動できる。
【図面の簡単な説明】
【０００６】
【図１】カッタ−１，動力軸締め穴３，を設定した斜視図
【図２】左方向すくい上げシヤベルカッタ−４を設定した斜視図
【図３】刈り取り機のギヤ−ケ−スに本具〔図１〕を取り付けた斜視図
【符号の説明】
【０００７】  １はカッタ−刃
２は円筒の底部分
３動力軸締め穴
４はシヤベル
５は刈り取り機ネック
６はエンジン
７はハンドル
【手続補正３】
【補正対象書類名】図面
【補正対象項目名】全図
【補正方法】変更
【補正の内容】
【図１】
0003155717.tif 000037
【図２】
0003155717.tif 000038
【図３】
0003155717.tif 000039
【手続補正書】
【提出日】平成20年1月9日(2008.1.9)
【手続補正１】
【補正対象書類名】実用新案登録請求の範囲
【補正対象項目名】全文
【補正方法】変更
【補正の内容】
【実用新案登録請求の範囲】
【請求項１】
ステンレスからなる底のある円筒［図１］，を逆さにした底の中心部分を刈り取り機のギヤケ−スに合致する、［図２］４、動力軸締め穴を設ける、底がない側の縁のめぐり立ての部分を若干残す［図２］２の如く、飛散物防止となる、刃造りは縁の回りを等間隔で幅を取り切り取る、数カ所残した部分［図２］５、刃を造成する、これが地上にある雑草と根茎を切り取る、刈り取り機の動力回転により除去する道具［図２］である。
【請求項２】
ステンレスからなる底のある円筒，底の中心部分を刈り取り機のギヤケ−スに合致する穴を設け，底がない側の縁のめぐりを等間隔で幅を取り切り取る、数個所残した部分を外側に反り返しが出来るように［図３］６の切り込みして［図３］７を造り、等間隔数個所造成するこれを回転方向に向い、下から救い上げるが如く、シヤベル状にする［図３］７の状態から［図４］８の状態に折り曲げ造成加工する、これを等間隔で数個所設ける、これを刈りとり機に取り付け、回転動力により作溝堀り、土あげなどをする道具である。  両具を合わせて草取りカッタ−シヤベルと命名する。
【手続補正２】
【補正対象書類名】明細書
【補正対象項目名】全文
【補正方法】変更
【補正の内容】
【考案の詳細な説明】
【技術分野】
【０００１】  この考案は刈り取り機に取り付け、表土に生えている雑草を削ったり、畝株間に生えている雑草を［図２］で処理するものと、作溝づくり土かけ等する道具［図４］の考案である、水田や畑植木や果樹園等、圃場等に生い茂る宿根性雑草の根茎等，きりもみ方法により根絶処理する道具である。  簡易な植え溝つくり，播種の溝づくり，作づくり，土あげ覆土が［図４］８で出来る，本具も雑草の根絶しも出来る。  背負い式や肩掛け式の刈り取り機のギヤアケ−スに、本具を選び取付けしてこの作業に当る。
【背景技術】
【０００２】  これまでにない，従来の刈り取り機のカッタ−は，平版刃で又は紐で地上の草刈りだけであって，地中の宿根草の根茎絶やしや，作溝づくり土あげ等狭い畝株間の草取り作業が全く出来なかった。
【考案が解決しょうとする課題】
【０００３】  畑作物や水田畝株間の雑草、雑草根、の根絶処理，又は狭い急傾斜地の作溝づくり、土かけ等，曾てはこれらの細かい作業が手作業であって，重労働であった、熱射病、蝮や百足の危害をこうむった、本具をセットしてこの作業に当ることにより危害を防げる、このことは各メ−カ−も研究費と試作費をかけたが解決しなかった，本考案は強い要望にこたえるために考案したものである。
【課題を解決する手段】
【０００４】  草取りカッタ−シヤベルは使用目的により，どちらかを選ぶか、雑草の根絶やしは［図２］５、カッタ−を設けた具が最適である。  作溝づくり，土かけ等を必要とした場合，シヤベル［図４］取付けそれぞれその作業に当る。
【考案の効果】
【０００５】  この道具の使用は熱射病、蝮や百足の危害を避けることが出来る山間の狭い農地，急傾斜地など，一般の農園芸管理機械で作業の出来ない場所でも，雑草の茎根絶やしや，園芸管理作業が出来るのである，軽量小型であるので本具を取り付けたまま移動できる。
【図面の簡単な説明】
【０００６】
【図１】底のあるステンレスの円筒の斜視図
【図２】草取りカッタ−造成と動力軸締め穴を設けた斜視図
【図３】シヤベルの６、７の造成過程の斜視図
【図４】シヤベルの完成図面
【符号の説明】
【０００７】  １は円筒の縁の部分  ２は円筒の中間の部分  ３は底の部分  ４は本具の締め込み穴  ５は刃  ６はシヤベルカッタ−の造成過程で切り込み  ７はシヤベルカッタ−の造成過程で基になる盤  ８はシヤベルカッタ−の完成
【手続補正３】
【補正対象書類名】図面
【補正対象項目名】全図
【補正方法】変更
【補正の内容】
【図１】
0003155717.tif 000040
【図２】
0003155717.tif 000041
【図３】
0003155717.tif 000042
【図４】
0003155717.tif 000043
【手続補正４】
【補正対象書類名】手続補正書
【補正対象項目名】手続補正４
【補正方法】削除
【補正の内容】
【手続補正書】
【提出日】平成20年7月3日(2008.7.3)
【手続補正１】
【補正対象書類名】実用新案登録請求の範囲
【補正対象項目名】全文
【補正方法】変更
【補正の内容】
【実用新案登録請求の範囲】
【請求項１】
底のある円筒、縁の円周部分を等間隔で数個所片をつくる、片は底から若干の深さとして、短冊型片にする、草取り具とする。
【請求項２】
短冊型片の巾を多めに取り、上位置に当る部分、横方向に切り込みを入れ、回転の方向に向い下から上に、すくいあげる如くそり返し片をつくる、このそり返し片を等間隔で数個所設定する、これが土あげ作あげ具となる。
底のある円筒の底の中心部分を、刈り取り機のネックに取付けして動力回転を利用して草取り、土あげ等する具である。
これを称して、刈り取り機草取り土あげ円筒片具。
【手続補正２】
【補正対象書類名】明細書
【補正対象項目名】全文
【補正方法】変更
【補正の内容】
【考案の詳細な説明】
【技術分野】
【０００１】  この考案は刈り取り機に取り付け、表土に生えている雑草を削ったり、畝株間に生えている雑草を［図２］で処理するものと、作溝づくり土かけ等する道具［図４］の考案である、水田や畑植木や果樹園等圃場等に生い茂る宿根性雑草の根茎等，きりもみ方法により根絶処理する道具である。
簡易な植え溝つくり，播種の溝づくり，作づくり，土あげ覆土が［図４］８で出来る，本具も雑草の根絶しも出来る。
背負い式や肩掛け式の刈り取り機のギヤアケ−スに、本具を選び取付けしてこの作業に当る。
【背景技術】
【０００２】  これまでにない本具である，従来の刈り取り機のカッタ−は，平版刃で又は紐で地上の草刈りだけであって，狭い畝株間の草取り地中の宿根草の根茎絶やしや，作溝づくり土あげ等作業が全く出来なかった。
【考案が解決しょうとする課題】
【０００３】  畑作物や水田畝株間の雑草、雑草根、の根絶処理は，本体の円筒片具のボ−リング方式で、又は狭い急傾斜地の作溝づくり、土かけ等かつてはこれらの細かい作業が手作業であって，重労働であった、熱射病、蝮や百足の危害をこうむった、本具をセットしてこの作業に当ることにより危害を防げる、このことは各メ−カ−も研究費と試作費をかけたが解決しなかった，本具の考案は、強い要望にこたえるに試作したものである。
【課題を解決する手段】
【０００４】  使用目的により，どちらかを選ぶか、雑草の根絶やしは［図２］５円筒片具の設置である、作溝づくり，土かけ等を必要とした場合，そりかえし片具［図４］を取付けてその作業に当る、両具の素材はステンレスが望ましい。
【考案の効果】
【０００５】  この道具の使用で蝮や百足の危害を避けることが出来る、山間の狭い農地，急傾斜地など，一般の農園芸管理機械で作業の出来ない場所でも，雑草の茎根絶やしや，園芸管理作業が出来るのである，軽量小型であるので本具を取り付けたまま移動できる。
【図面の簡単な説明】
【０００６】
【図１】底のある円筒の斜視図
【図２】刈りと機草取り円筒片具と動力軸締め穴を設けた斜視図
【図３】そりかえ片具６、７の造成過程の斜視図
【図４】そりかえ片具の完成図面
【符号の説明】
【０００７】  １は円筒の縁の部分
２は円筒の中間の部分
３は底の部分
４は本具の締め込み穴
５は草取り円筒片具の完成
６はそり返し片具、造成過程で上位置横切り込み
７はそり返し片具の造成過程で基になる盤
８はそり返し円筒片具の完成
【手続補正３】
【補正対象書類名】図面
【補正対象項目名】全図
【補正方法】変更
【補正の内容】
【図１】
0003155717.tif 000044
【図２】
0003155717.tif 000045
【図３】
0003155717.tif 000046
【図４】
0003155717.tif 000047
【手続補正書】
【提出日】平成20年10月29日(2008.10.29)
【手続補正１】
【補正対象書類名】実用新案登録請求の範囲
【補正対象項目名】全文
【補正方法】変更
【補正の内容】
【実用新案登録請求の範囲】
【請求項１】
底のある円筒で、底を上にした状態で円筒の縁の周辺上位部分を若干残して等間隔で数個所片をつくる、短冊型片にした物を数個所造成加工する、この物が回転して草取り具となる、又各短冊型片の巾を広めに取り、若干残した部分を基準して、左から右横方向に切込みを入れて反り変えし易くして、その部分を上にして下に向かって横に開いて回転方向に向い救いあげる如く造成加工する、この物が回転することによって作溝つくりをする道具となるのである。
両具の底の中心に、刈り取り機のネックに合致する穴を、それぞれ設け、硬く取り付けして動力回転により、草取りをしたり、作溝づくりをする道具である。
これを称して、刈り取り機草取り作溝づくり円筒片具と言う。
【手続補正２】
【補正対象書類名】明細書
【補正対象項目名】全文
【補正方法】変更
【補正の内容】
【考案の詳細な説明】
【技術分野】
【０００１】  この考案は刈り取り機に取り付け、表土に生えている雑草を削ったり、畝株間に生えている雑草を［図２］で処理するものと、作溝づくり土かけ等する道具［図４］の考案である、水田や畑、植木や果樹園等圃場等に生い茂る宿根性雑草の根茎等，きりもみ方法により根絶処理する道具である。
簡易な植え溝つくり，播種の溝づくり，作づくり，土あげ覆土が［図４］８で出来る，本具も雑草の根絶しも出来る。
背負い式や肩掛け式の刈り取り機のギヤアケ−スに、本具を選び取付けしてこの作業に当る。
【背景技術】
【０００２】  これまでにない本具である，従来の刈り取り機のカッタ−は，平版刃で又は紐で地上の草刈りだけであって，狭い畝株間の草取り地中の宿根草の根茎絶やしや，作溝づくり土あげ等作業が全く出来なかった。
【考案が解決しょうとする課題】
【０００３】  畑作物や水田畝株間の雑草、雑草根、の根絶処理は，本体の円筒片具のボ−リング方式で、又は狭い急傾斜地の作溝づくり、土かけ等かつてはこれらの細かい作業が手作業であって，重労働であった、熱射病、蝮や百足の危害をこうむった、本具をセットしてこの作業に当ることにより危害を防げる、このことは各メ−カ−も研究費と試作費をかけたが解決しなかった，本具の考案は、強い要望にこたえるに試作したものである。
【課題を解決する手段】
【０００４】  使用目的により，どちらかを選ぶか、雑草の根絶やしは［図２］５円筒片具の設置である、作溝づくり，土かけ等を必要とした場合，そりかえし片具［図４］を取付けてその作業に当る、両具の素材はステンレスが望ましい。
【考案の効果】
【０００５】  この道具の使用で蝮や百足の危害を避けることが出来る、山間の狭い農地，急傾斜地など，一般の農園芸管理機械で作業の出来ない場所でも，雑草の茎根絶やしや，園芸管理作業が出来るのである，軽量小型であるので本具を取り付けたまま移動できる。
【図面の簡単な説明】
【０００６】
【図１】底のある円筒の斜視図
【図２】刈りと機草取り円筒片具と動力軸締め穴を設けた斜視図
【図３】そりかえ片具６、７の造成過程の斜視図
【図４】そりかえ片具の完成図面
【符号の説明】
【０００７】    １は円筒の縁の部分
２は円筒の若干残しの部分
３は底の部分
４は本具の締め込み穴
５は草取り円筒片具の完成
６はそり返し片具、造成過程で上位置横切り込み
７はそり返し片具の造成過程で基になる盤
８はそり返し円筒片具の完成
【手続補正３】
【補正対象書類名】図面
【補正対象項目名】全図
【補正方法】変更
【補正の内容】
【図１】
0003155717.tif 000048
【図２】
0003155717.tif 000049
【図３】
0003155717.tif 000050
【図４】
0003155717.tif 000051
【手続補正書】
【提出日】平成21年2月27日(2009.2.27)
【手続補正１】
【補正対象書類名】実用新案登録請求の範囲
【補正対象項目名】全文
【補正方法】変更
【補正の内容】
【実用新案登録請求の範囲】
【請求項１】
底のある円筒で、底を上にした状態で円筒の縁の周辺上位部分を若干残して等間隔で数個所片をつくり、短冊型片にした物を数個所造成加工し、この物が回転して草取り具となり、又各短冊型片の巾を広めに取り、若干残した部分を基準して、左から右横方向に切込みを入れて反り変えし易くして、その部分を上にして下に向かって横に開いて回転方向に向い救いあげる如く造成加工し、この物が回転することによって作溝つくりをする道具となり、両具の底の中心に、刈り取り機のネックに合致する穴を、それぞれ設け、硬く取り付けして動力回転により、草取りをしたり、作溝づくりをする道具となる。
これを称して、刈り取り機草取り作溝づくり円筒片具と言う。
【手続補正２】
【補正対象書類名】明細書
【補正対象項目名】全文
【補正方法】変更
【補正の内容】
【考案の詳細な説明】
【技術分野】
【０００１】  この考案は刈り取り機に取り付け、表土に生えている雑草を削ったり、畝株間に生えている雑草を［図１］で処理するものと、作溝づくり土かけ等する道具［図３］の考案である、水田や畑、植木や果樹園等圃場等に生い茂る宿根性雑草の根茎等，きりもみ方法により根絶処理する道具である。
簡易な植え溝つくり，播種の溝づくり，作づくり，土あげ覆土が［図３］７で出来る，本具も雑草の根絶しも出来る。
背負い式や肩掛け式の刈り取り機のギヤアケ−スに、本具を選び取付けしてこの作業に当る。
【背景技術】
【０００２】  これまでにない本具である，従来の刈り取り機のカッタ−は，平版刃で又は紐で地上の草刈りだけであって，狭い畝株間の草取り地中の宿根性雑草の根絶やしや作溝づくり土あげ等作業が全く出来なかった。
【考案が解決しょうとする課題】
【０００３】  畑作物や水田畝株間の雑草、雑草根、の根絶処理は，本体の円筒片具のボ−リング方式で、又は狭い急傾斜地の作溝づくり、土かけ等かつてはこれらの細かい作業が手作業であって，重労働であった、熱射病、蝮や百足の危害をこうむった、本具をセットしてこの作業に当ることにより危害を防げる、このことは各メ−カ−も研究費と試作費をかけたが解決しなかった，本具の考案は、強い要望にこたえるに試作したものである。
【課題を解決する手段】
【０００４】  使用目的により，どちらかを選ぶか、雑草の根絶やしは［図１］３短冊型片具に加工造成した物、作溝づくり，土かけ等を必要とした場合はそりかえし型片具［図３］７、に加工造成した物で、その作業に当る
両具の素材はスンレス性が望ましい。
【考案の効果】
【０００５】  この道具の使用で蝮や百足の危害を避けることが出来る、山間の狭い農地，急傾斜地など，一般の農園芸管理機械で作業の出来ない場所でも，雑草の茎根絶やしや，園芸管理作業が出来るのである，軽量小型であるので本具を取り付けたまま移動できる。
【図面の簡単な説明】
【０００６】
【図１】底のある円筒で、短冊型片３と、動力軸締め穴を加工造成した斜視図
【図２】短冊型片の横幅を広めにとり、切り込みをした斜視図
【図３】そりかえし片具７の加工造成した完成した斜視図
【符号の説明】
【０００７】  １は円筒の底の部分
２は円筒の周囲を若干残した部分
３は短冊型片
４は本具と刈り取り機軸の締め込み穴
５は幅を広めにとった短冊型片
６は横方向に切り込みをした図
７は反り返し型片
【手続補正３】
【補正対象書類名】図面
【補正対象項目名】全図
【補正方法】変更
【補正の内容】
【図１】
0003155717.tif 000052
【図２】
0003155717.tif 000053
【図３】
0003155717.tif 000054
【手続補正書】
【提出日】平成21年6月17日(2009.6.17)
【手続補正１】
【補正対象書類名】実用新案登録請求の範囲
【補正対象項目名】全文
【補正方法】変更
【補正の内容】
【実用新案登録請求の範囲】
【請求項１】
背負い式動力草刈り機を（母体）とする、この草刈り機に、（図１）を装着して撹拌し、畑に生えた雑草を根こそぎ取り除く事の出来る部品である、草刈り機に装着する時間は約７〜８分で簡易装着が可能。（図３）は、この動力により、作切り、覆土、の両面に使用できる部品である、本品で作切りして、種を播種したものに、覆土が出来る便利な部品である、（１０ミリ未満の種子の播種）
両部品の特色は、作業労力が極端に省力出来、老齢化の進む農家の手助けと成るセット部品である、図１の名称は草取り君、図３の名称は作切り覆土君、両部品併せて草取り作切り覆土君、草刈り機にとりつける部品である。
【手続補正２】
【補正対象書類名】明細書
【補正対象項目名】全文
【補正方法】変更
【補正の内容】
【考案の詳細な説明】
【技術分野】
【０００１】  この考案は背負い式動力草刈り取り機（母体）に取り付け、表土に生えている雑草を削ったり、畝株間に生えている雑草を［図１］で処理するものと、作切りづくり、土かけ等する部品［図３］、の考案である、水田や畑、植木や果樹園等、圃場等に生い茂る宿根性雑草の根茎等，きりもみ方法により根絶処理する部品である。
簡易な植え溝つくり，播種の溝づくり，作づくり，土あげ覆土が［図３］７で出来る，本品も雑草の根絶しも出来る。
背負い式や肩掛け式等の刈り取り機のギヤアケ−スに、本品のどちらかを選び取付けしてこの作業に当る。
【背景技術】
【０００２】  これまでにない本品である，従来の刈り取り機のカッタ−は，平版刃で又は紐で地上の草刈りだけであって，狭い畝株間の草取り地中の宿根性雑草の根絶やしや作切り、覆土等作業が全く出来なかった。
【考案が解決しょうとする課題】
【０００３】  畑作物や水田畝株間の雑草、雑草根、の根絶処理は，本品の円筒片具のボ−リング方式で、又は狭い急傾斜地の作切りづくり、土かけ等  かつてはこれらの細かい作業が手作業であって，重労働であった、熱射病、蝮や百足の危害をこうむった、本具をセットしてこの作業に当ることにより危害を防げる、このことは各メ−カ−も研究費と試作費をかけたが解決しなかった，本具の考案は、強い要望にこたえるに当り製作したものである。
【課題を解決する手段】
【０００４】  使用目的により，どちらかを選ぶか、雑草の根こそぎ駆除は、草取り君［図１］３、で短冊型片具に加工造成した物で、作切り，土かけ等を必要とした場合は、そりかえし型片具［図３］７、に加工造成した物で、作きり覆土君で、その作業に当る
両品の素材はステンレス性が望ましい。
【考案の効果】
【０００５】  この部品の使用で蝮や百足の危害を避けることが出来る、山間の狭い農地，急傾斜地など，一般の農園芸管理機械で作業の出来ない場所でも，雑草の茎、根絶やしや，管理作業をする事が出来るのである，本品は軽量小型であるので本品を取り付けたまま移動できる。
【図面の簡単な説明】
【０００６】
【図１】底のある円筒で、短冊型片３と、動力軸締め穴を加工造成した斜視図
【図２】短冊型片の横幅を広めにとり、切り込みをした斜視図
【図３】そりかえし片具７の加工造成した完成した斜視図
【符号の説明】
【０００７】  １は円筒の底の部分
２は円筒の周囲を若干残した部分
３は短冊型片
４は本品と刈り取り機軸の締め込み穴
５は幅を広めにとった短冊型片
６は横方向に切り込みをした図
７は反り返し型片
【手続補正３】
【補正対象書類名】図面
【補正対象項目名】全図
【補正方法】変更
【補正の内容】
【図１】
0003155717.tif 000055
【図２】
0003155717.tif 000056
【図３】
0003155717.tif 000057
【手続補正書】
【提出日】平成21年9月21日(2009.9.21)
【手続補正１】
【補正対象書類名】実用新案登録請求の範囲
【補正対象項目名】全文
【補正方法】変更
【補正の内容】
【実用新案登録請求の範囲】
【請求項１】
底のある円筒で、底を上にした状態で円筒の縁の周辺上位部分を若干残して等間隔で数個所片をつくり、短冊型片にした物を数個所造成加工し、この物が回転して草取り具となり、又、各短冊型片の巾を広めに取り、若干残した部分を基準して、左から右横方向に切込みを入れて反り変えし易くして、その部分を上にして下に向かって横に開いて回転方向に向い救いあげる如く造成加工し、この物が回転することによって作溝つくりをする道具となり、両具の底の中心に、刈り取り機のネックに合致する穴を、それぞれ設け、硬く取り付けして動力回転により、草取りをしたり、作溝づくりをする道具となる、刈り取り機草取り作溝づくり円筒片具。
【手続補正２】
【補正対象書類名】明細書
【補正対象項目名】全文
【補正方法】変更
【補正の内容】
【考案の詳細な説明】
【技術分野】
【０００１】  この考案は刈り取り機に取り付け、表土に生えている雑草を削ったり、畝株間に生えている雑草を［図１］で処理するものと、作溝づくり土かけ等する道具［図３］の考案である、水田や畑、植木や果樹園等圃場等に生い茂る宿根性雑草の根茎等、きりもみ方法により根絶処理する道具である。
簡易な植え溝つくり、播種の溝づくり、作づくり、土あげ覆土が［図３］７で出来る、本具も雑草の根絶しも出来る。
背負い式や肩掛け式の刈り取り機のギヤアケ−スに、本具を選び取付けしてこの作業に当る。
【背景技術】
【０００２】  これまでにない本具である、従来の刈り取り機のカッタ−は、平版刃で又は紐で地上の草刈りだけであって、狭い畝株間の草取り地中の宿根性雑草の根絶やしや作溝づくり土あげ等作業が全く出来なかった。
【考案が解決しようとする課題】
【０００３】  畑作物や水田畝株間の雑草、雑草根、の根絶処理は、本体の円筒片具のボ−リング方式で、又は狭い急傾斜地の作溝づくり、土かけ等かつてはこれらの細かい作業が手作業であって、重労働であった、熱射病、蝮や百足の危害をこうむった、本具をセットしてこの作業に当ることにより危害を防げる、このことは各メ−カ−も研究費と試作費をかけたが解決しなかった、本具の考案は、強い要望にこたえるに試作したものである。
【課題を解決する手段】
【０００４】  使用目的により、どちらかを選ぶか、雑草の根絶やしは［図１］３短冊型片具に加工造成した物、作溝づくり、土かけ等を必要とした場合はそりかえし型片具［図３］７、に加工造成した物で、その作業に当る両具の素材はステンレス製が望ましい。
【考案の効果】
【０００５】  この道具の使用で蝮や百足の危害を避けることが出来る、山間の狭い農地、急傾斜地など、一般の農園芸管理機械で作業の出来ない場所でも、雑草の茎根絶やしや、園芸管理作業が出来るのである、軽量小型であるので本具を取り付けたまま移動できる。
【図面の簡単な説明】
【０００６】
【図１】底のある円筒で、短冊型片３と、動力軸締め穴を加工造成した斜視図
【図２】短冊型片の横幅を広めにとり、切り込みをした斜視図
【図３】そりかえし片具７の加工造成した完成した斜視図
【符号の説明】
【０００７】１は円筒の底の部分
２は円筒の周囲を若干残した部分
３は短冊型片
４は本具と刈り取り機軸の締め込み穴
５は幅を広めにとった短冊型片
６は横方向に切り込みをした図
７は反り返し型片